(57)【要約】【課題】開封の容易性。【解決手段】袋体１０は、フライドポテト，ポテトチップスやサラダ用野菜などの食品１２を内部に収容して、香辛料やドレッシングなどの味覚調整用添加物１４を投入し、複数回振って食する際に用いる。袋体１０は、底辺に閉止部１６が設けられ、対向する２側辺にミシン線，折曲線，熱シール線，熱刃溶着線などの開封誘導部１８が設けられ、上辺に開口部２０が設けられた偏平な形態を備え、開口部２０から食品１２を収容して、味覚調整用添加物１４を投入した後に、開口部２０を閉止部１６と直交するようにして閉塞して、４つの三角形を連接した四面立体形状とする。【選択図】図１
2009051507.tif 000002
【特許請求の範囲】
【請求項１】
フライドポテト，ポテトチップスやあられ，せんべいなどのスナック菓子、サラダ、野菜などの食品を内部に収容して、香辛料やドレッシングなどの味覚調整用添加物を投入し、複数回振って食する際に用いる袋体であって、
前記袋体は、底辺に閉止部が設けられ、対向する２側辺に、糊などによる貼り合せ接着部，ミシン線，折曲線，熱シール線，熱刃溶着線などの開封誘導部が設けられ、上辺に開口部が設けられた偏平な形態を備え、
前記開口部から前記食品を収容して、前記味覚調整用添加物を投入した後に、前記開口部を前記閉止部と直交するようにして閉塞して、４つの三角形を連接した四面立体形状とすることを特徴とする袋体。
【請求項２】
前記袋体は、紙材から構成され、前記開封誘導部は、前記糊などによる貼り合せ接着部，ミシン線ないしは前記折曲線とすることを特徴とする請求項１記載の袋体。
【請求項３】
前記袋体は、合成樹脂フィルムから構成され、前記開封誘導部は、前記熱シール線ないしは熱刃溶着線とすることを特徴とする請求項１記載の袋体。
【請求項４】
前記開口部の閉塞は、当該開口部の近傍を折り返すことにより行うことを特徴とする請求項２記載の袋体。
【請求項５】
前記開口部の閉塞は、当該開口部の近傍内面に剥離紙に被覆された接着層を設けておき、当該接着層同士の接着により行うことを特徴とする請求項１から３のいずれか１項記載の袋体。
【発明の詳細な説明】
【技術分野】
【０００１】
この発明は、袋体に関し、特に、ファーストフード店などで、フライドポテトやサラダなどの食品に、香辛料やドレッシングなどの味覚調整添加剤を振り掛ける際に使用される袋体に関するものである。
【背景技術】
【０００２】
ファーストフード店などで、フライドポテトを食する際には、塩や胡椒などが含まれた粒状香辛料などの味覚調整添加物をつけて食している。この種の味覚調整添加物は、通常、小袋内に収容されていて、袋の一部を破ってこれを直接食品に振り掛けるか、あるいは、袋を破って取り出した味覚調整添加物を別の容器に収容して、食品をこれらの添加物につけて食している。
【０００３】
ところが、このような食べ方では、食品に対して味覚調整添加物を均一につけることが難しいので、味にバラツキが生じて、食品全体を同じような味で食することが困難な状態になっていた。
【０００４】
そこで、近時、紙袋内に、フライドポテトを収容し、塩や胡椒などが含まれた粒状香辛料を投入して、紙袋の一端ないしは両端を握ってこれを複数回振ることで、香辛料がフライドポテトにつくようにして食することが人気を得ており、このような食べ方の場合には、香辛料がフライドポテトにかなり均一につくので、全体のフライドポテトを同じような味で楽しむことができる。ところが、このような食品の食べ方には、以下に説明する課題があった。
【発明の開示】
【発明が解決しようとする課題】
【０００５】
すなわち、上述したようなフライドポテトの食べ方では、紙袋内に収容したものを食する際には、取り出すことになるが、紙袋が比較的底が深いので、取り出しが面倒な上に、取り出したフライドポテトを別の容器に収容しなければならなかった。
【０００６】
本発明は、このような問題点に鑑みてなされたものであって、その目的とするところは、取り出しが簡単で、しかも、別の収容容器を必要としない袋体を提供することにある。
【課題を解決するための手段】
【０００７】
上記目的を達成するために、本発明は、フライドポテト，ポテトチップスやあられ，せんべいなどのスナック菓子、サラダ、野菜などの食品を内部に収容して、香辛料やドレッシングなどの味覚調整用添加物を投入し、複数回振って食する際に用いる袋体であって、前記袋体は、底辺に閉止部が設けられ、対向する２側辺に、糊などによる貼り合せ接着部，ミシン線，折曲線，熱シール線，熱刃溶着線などの開封誘導部が設けられ、上辺に開口部が設けられた偏平な形態を備え、前記開口部から前記食品を収容して、前記味覚調整用添加物を投入した後に、前記開口部を前記閉止部と直交するようにして閉塞して、４つの三角形を連接した四面立体形状とするようにした。
【０００８】
このように構成した袋体によれば、対向する２側辺に、糊などによる貼り合せ接着部，ミシン線，折曲線，熱シール線，熱刃溶着線などの開封誘導部が設けられているので、フライドポテト，ポテトチップスやサラダなどの食品を内部に収容して、香辛料やドレッシングなどの味覚調整用添加物を投入し、複数回振って食する際に、開封誘導部から袋体を簡単に開封することができる。
【０００９】
また、開口部から食品を収容して、味覚調整用添加物を投入した後に、開口部を閉止部と直交するようにして閉塞して、４つの三角形を連接した四面立体形状とするので、袋体を振る際に、天地を逆にすることも可能になり、味覚調整添加物と食品とを十分に絡ませることができるとともに、４つの三角形を連接した四面立体形状にして、その後に開封誘導部から開封すると、４つの三角形を連接した四面体形状が中央部分から半分に割った形態となり、これを食品収容容器として使用することができる。また、この際に、底辺の両端が立ち上がった形状の舟形となり、食品などが取り出し易くなる。
【００１０】
前記袋体は、紙材から構成され、前記開封誘導部は、前記糊などによる貼り合せ接着部，ミシン線ないしは前記折曲線とすることができる。
【００１１】
前記開口部の閉塞は、当該開口部の近傍を折り返すことにより行うことができる。
【００１２】
前記開口部の閉塞は、当該開口部の近傍内面に剥離紙に被覆された接着層を設けておき、当該接着層同士の接着により行うことができる。
【発明の効果】
【００１３】
本発明に係る袋体によれば、食品の取り出しが簡単で、しかも、取り出した食品を別の収容容器に収容する必要がなくなる。
【発明を実施するための最良の形態】
【００１４】
以下、本発明の好適な実施の形態について、添付図面に基づいて詳細に説明する。図１〜図４は、本発明に係る袋体の一実施例を示している。これらの図に示した袋体１０は、フライドポテト，ポテトチップスやサラダなどの食品１２を内部に収容して、香辛料やドレッシングなどの味覚調整用添加物１４を投入し、複数回振って食する際に用いられるものである。
【００１５】
図１は、食品１２などを投入する前の袋体１０を示しており、この袋体１０は、底辺に閉止部１６が設けられ、対向する２側辺に開封誘導部１８が設けられ、上辺に開口部２０が設けられた長方形状の偏平な形態を備えている。
【００１６】
本実施例の場合、開封誘導部１８は、紙材を断続的に貫通するスリット孔からなるミシン線から構成されている。なお、開粉誘導部１８は、この形態に限る必要はなく、特に紙材の場合には、糊などにより２枚を貼り合せた接着部であってよい。
【００１７】
また、本実施例の場合、開口部２０の近傍内面には、剥離紙に被覆された接着剤からなる接着層２２が、幅方向の両端に到達するように設けられており、接着層２２の上部側が所定幅の耳部２４となっている。
【００１８】
なお、袋体１０の材質は、紙材だけでなく、例えば、紙材の内面にフィルムなどを貼着したものや、合成樹脂フィルムであってもよく、合成樹脂フィルムの場合には、透明，半透明，不透明のいずれでもよい。
【００１９】
また、袋体１０の材質として合成樹脂フィルムを採用した場合には、開封誘導部１８は、熱シール線で２枚を線状に溶着することや、２枚のフィルムを熱刃で切断しながら端面同士を熱刃溶着線とすることができる。
【００２０】
さらに、袋体１０の材質として紙材を用いる場合には、開粉誘導部１８は、上記ミシン線に替えて、例えば、紙材質の厚みの略半分を切断した折曲線や、単に、紙材に折曲線をつけたものを採用することもできる。
【００２１】
なお、以下の説明の都合上、長方形状の袋体１０の各角部を図１に示すようにＡ，Ｂ，Ｄ，Ｅとし、開口部２０の中心をＣ，Ｃ’とする。
【００２２】
以上のように構成された袋体１０は、食品１２を食する場合には、図２〜図４に示すようにして使用される。食品１２を袋体１０内に投入収容する際には、まず、図２に示すように、２枚の紙材からなる袋体１０の開口部２０の中心Ｃ，Ｃ’が相互に離間するようにして、開口部２０を拡げて、食品１２を内部に投入し、その後、味覚調整添加物２０も同時に投入する。
【００２３】
図２では、食品１２の一例として、ジャガイモを細切りにして油で揚げたステック状のフライドポテトを例示し、味覚調整添加物１４としては、塩や胡椒などを含む粉末状香辛料を例示している。
【００２４】
食品１２と味覚調整添加物１４とが投入されると、次に、接着層２２の剥離紙を除去して、角部Ａと同Ｂとを近接させて、角部Ａ，Ｂとが一致するようにして、接着層２２同士を接着して、開口部２０を閉塞する。
【００２５】
このようにして袋体１０を閉塞すると、接着層２２による閉塞部は、袋体１０の底辺の閉止部１６と直交することになる。このような閉塞部を設けると、図３に示すように、４つの三角形が形成される。
【００２６】
すなわち、この三角形は、接着部２２を共通底辺とする三角形ＣＥＣ’と同ＣＤＣ’、および、閉止部１６を共通底辺とする三角形ＤＣＥと同ＤＣ’Ｅであり、これらの４つの三角形は、周方向に沿って相互に連接されていて、四面立体形状になる。
【００２７】
この場合、ミシン線からなる開封誘導線１８は、接着部２２を共通底辺とする三角形ＣＥＣ’と同ＣＤＣ’の頂点から底辺に向かう垂線上にあって、耳部２４を通って開口部２０の上端まで到達している。
【００２８】
接着層２２による閉塞が完了すると、例えば、耳部２４を指で挟んで、袋体１０を上下左右方向に複数回振ったり、あるいは、四面立体形状の袋体１０を転がすなどして、味覚調整添加物１４が食品１２に良く馴染むようにする。
【００２９】
そして、この後に、開封誘導部１８から袋体１０を破断する。この場合、例えば、開封誘導部１８を左右の手指で挟んで、引き裂くようにすれば、ミシン線からなる開封誘導部１８は簡単に破れて、三角形ＣＥＣ’と同ＣＤＣ’は、それぞれ半割状態になる。
【００３０】
四面立体形状の袋体１０の三角形ＣＥＣ’と同ＣＤＣ’が半割状態になると、袋体１０は、図４に示すように、閉止部１６を共通底辺とする２つの三角形ＤＣＥと同ＤＣ’Ｅを連結した概略菱形形状が底辺となり、その側縁に三角形ＣＥＣ’と同ＣＤＣ’とを半割状態にした４つの三角形が立ち上がる容器形状になり、この容器形状内に、味覚調整添加物１４がまぶされた食品１２が収容され、これを食することが可能になる。また、この際には、同図に示すように、食品１２が内部に収容されることで、底辺の両端Ｄ，Ｅが上方に立ち上がった形状の舟形となり、食品などが取り出し易くなる。
【００３１】
さて、以上のように構成された袋体１０によれば、紙袋１０内に、フライドポテトなどの食品１２を収容し、塩や胡椒などが含まれた粒状香辛料からなる味覚調整添加物１４を投入して、紙袋１０の一端を握ってこれを複数回振ることで、添加物１４が食品１２に均一につくので、食品１２の全体を同じような味で楽しむことができるとともに、以下の作用効果も得られる。
【００３２】
すなわち、本実施例の場合、対向する２側辺にミシン線からなる開封誘導部１８が設けられているので、フライドポテトなどの食品１２を内部に収容して、香辛料からなる味覚調整用添加物１４を投入し、複数回振って食する際に、開封誘導部１８から袋体１０を簡単に開封することができる。
【００３３】
また、開口部２０から食品１２を収容して、味覚調整用添加物１４を投入した後に、開口部２０を閉止部と直交するようにして閉塞して、４つの三角形を連接した四面立体形状とするので、袋体１０を振る際に、天地を逆にすることも可能になり、味覚調整添加物１４と食品１２とを十分に絡ませることができるとともに、４つの三角形を連接した四面立体形状にして、その後に開封誘導部１８から開封すると、４つの三角形を連接した四面体形状が中央部分から半分に割った形態となり、これを食品収容容器として使用することができる。
【００３４】
なお、上記実施例では、袋体１０の上端側の閉塞用に剥離紙付きの接着層２２を用い、袋体１０内を厳重に閉塞する場合を例示したが、本発明の実施は、これに限られるものではなく、例えば、材料が紙材の場合には、開口部２０の上端側を複数回折り曲げて閉塞するようにしてもよいし、折り曲げたところにクリップを係止するようにしてもよい。
【００３５】
また、上記実施例では、食品１２としてフライドポテトを例示したが、本発明の実施は、これに限定されるものではなく、例えば、ポテトチップスやサラダ用野菜ないしはから揚げチキンなどであってもよい。食品１２がサラダ用野菜の場合には、味覚調整添加物１４には、ドレッシングを採用することもできる。
【産業上の利用可能性】
【００３６】
本発明にかかる袋体は、フライドポテト，ポテトチップスやサラダ用野菜などの食品を内部に収容して、香辛料やドレッシングなどの味覚調整用添加物を投入し、複数回振って食する際に好適に用いることができる。
【図面の簡単な説明】
【００３７】
【図１】本発明にかかる袋体の使用前の平面図である。
【図２】図１の袋体内に食品を収容する際の説明図である。
【図３】図１に示した袋体内に食品と味覚調整添加物とを収容して開口部を閉塞した状態の説明図である。
【図４】図３に示した状態から袋体を開封した状態の説明図である。
【符号の説明】
【００３８】
１０          袋体
１２          食品
１４          味覚調整添加物
１６          閉止部
１８          開封誘導部
２０          開口部
２２          接着層
２４          耳部
【図１】
2009051507.tif 000003
【図２】
2009051507.tif 000004
【図３】
2009051507.tif 000005
【図４】
2009051507.tif 000006